(57)【要約】【課題】この発明は、送信モード切替キーと受信モード切替キーとが近接して配置されている場合に、送信モードを切り替えたい場合に、受信モードを誤って切り替えてしまうといったことが起こりにくくなるファクシミリ装置を提供することを目的とする。【解決手段】送信モード切替キーと受信モード切替キーとが近接して配置されているファクシミリ装置において、受信モード切替キーが一定時間内で連続して２回押されたときにのみ、受信モードを切り替える手段を備えている。【選択図】  図２
2004153633.tif 000002
【特許請求の範囲】
【請求項１】
送信モード切替キーと受信モード切替キーとが近接して配置されているファクシミリ装置において、受信モード切替キーが一定時間内で連続して２回押されたときにのみ、受信モードを切り替える手段を備えていることを特徴とするファクシミリ装置。
【発明の詳細な説明】
【０００１】
【産業上の利用分野】
この発明は、ファクシミリ装置に関する。
【０００２】
【従来の技術】
図１は、ファクシミリ装置の操作部に設けられた液晶表示器に表示されたファクスの基本画面の一例を示している。
【０００３】
この基本画面では、その右下部に、送信モードを切り替えるための送信モード切替キー１と、受信モードを切り替えるための受信モード切替キー２とが、縦に並んで近接して配置されている。送信モード切替キー１が１回押される毎に送信モードが切り替えられる。同様に、受信モード切替キー２が１回押される毎に受信モードが切り替えられる。
【０００４】
送信モードには、以下に説明するように、メモリ送信モードとダイレクト送信モードとがある。
【０００５】
（１）メモリ送信モード
・原稿送り装置に原稿をセットする場合
原稿送り装置にセットされた原稿の画像を順次メモリに読み込んで記憶した後に、相手先へのダイヤリングを行う。
・コンタクトガラス上に原稿をセットする場合
コンタクトガラス上に順次セットされる原稿の画像をメモリに読み込み、全ての原稿画像の読み込みが終了してから、相手先にダイヤリングを行う。
【０００６】
（２）ダイレクト送信モード
・原稿送り装置に原稿をセットする場合
相手先と回線がつながってから、原稿送り装置にセットされた原稿の画像の読み込みを開始する。複数枚の原稿がセットされている場合には、１ページ分の原稿画像を送信してから、次の原稿の読み込みを開始する。
・コンタクトガラス上に原稿をセットする場合
相手先と回線がつながってから、コンタクトガラス上にセットされた原稿を読み込んで送信するといった動作を、原稿枚数分繰り返して行う。
【０００７】
受信モードには、以下に説明するように、自動受信モード、手動受信モードおよびＦＡＸ／留守番電話自動切替受信モードとがある。
【０００８】
（１）自動受信モード
ファクシリ原稿が送られてきた場合に、自動的に受信を行う。
（２）手動受信モード
相手先との回線がつながったことを確認した後、スタートキーを押すことによって受信する。
（３）ＦＡＸ／留守番電話自動切替受信モード
ファクシリ原稿が送られてきた場合には自動的に受信を行い、相手先が電話のときには接続された留守番電話の機能にしたがって動作する。
【０００９】
ところで、メモリ送信モードとダイレクト送信モードとを切り替える送信モード切替キー１は、一般的に頻繁に操作される。受信モード切替キー２は送信モード切替キー１と近接して配置されているため、送信モード切替キー１を操作する際に、受信モード切替キー２が誤って操作されてしまうおそれがある。
【００１０】
受信モード切替キー２が誤って操作されることによって、受信モードが、自動受信モードから手動受信モードに切り替えられたり、ＦＡＸ／留守番電話自動切替受信モードから手動受信モードに切り替えられたりした場合には、ＦＡＸ受信ができなくなってしまうという事態が発生するおそれがある。
【００１１】
【発明が解決しようとする課題】
この発明は、送信モード切替キーと受信モード切替キーとが近接して配置されている場合に、送信モードを切り替えたい場合に、受信モードを誤って切り替えてしまうといったことが起こりにくくなるファクシミリ装置を提供することを目的とする。
【００１２】
【課題を解決するための手段】
この発明によるファクシミリ装置は、送信モード切替キーと受信モード切替キーとが近接して配置されているファクシミリ装置において、受信モード切替キーが一定時間内で連続して２回押されたときにのみ、受信モードを切り替える手段を備えていることを特徴とする。
【００１３】
【発明の実施の形態】
以下、図１および図２を参照して、この発明の実施の形態について説明する。
【００１４】
この実施の形態によるファクシミリ装置においても、ファクスの基本画面は、図１に示すような画面であるものとする。したがって、送信モードを切り替えるための送信モード切替キー１と、受信モードを切り替えるための受信モード切替キー２とは、近接して配置されている。
【００１５】
この実施の形態では、受信モード切替キー２を一定時間内で連続して２回押した場合にのみ、即ち、ダブルクリックした場合にのみ、受信モードを切り替えるようにしている。より具体的には、受信モード切替キー２が押されてから、予め定められた所定時間Ｔｏ以内に、受信モード切り替えキー２が押された場合に、受信モードを切り替えるようにしている。受信モードの切り替え順序は予め定められている。
【００１６】
なお、送信モードは、従来と同様に、送信モードキー１が１回押される毎に、切り替えられる。
【００１７】
図２は、受信モード切替処理手順を示している。
【００１８】
受信モードキー２が押されたことが検出されると（ステップ１）、変数ｓｔａｒｔ  ＿ｔｉｍｅとして、現在のシステム時刻を設定する（ステップ２）。この後、受信モードキー２が押されたか否かを判定する（ステップ３）。
【００１９】
受信モードキー２が押されていないと判定したときには、変数ｎｏｗ＿ｔｉｍｅとして、現在のシステム時刻を設定する（ステップ４）。そして、ｎｏｗ＿ｔｉｍｅとｓｔａｒｔ  ＿ｔｉｍｅとの差（ｎｏｗ＿ｔｉｍｅ−ｓｔａｒｔ  ＿ｔｉｍｅ）が予め定められた所定時間Ｔｏを越えたか否かを判定する（ステップ５）。ｎｏｗ＿ｔｉｍｅとｓｔａｒｔ  ＿ｔｉｍｅとの差が所定時間Ｔｏを越えていないと判定した場合には、所定時間Δｔだけ待機した後（ステップ６）、ステップ３に移行する。
【００２０】
ステップ３において、受信モードキー２が押されたと判定された場合には、受信モードの切り替えを行う（ステップ７）。
【００２１】
ステップ５において、ｎｏｗ＿ｔｉｍｅとｓｔａｒｔ  ＿ｔｉｍｅとの差が所定時間Ｔｏを越えたと判定した場合には、ステップ１に戻る。
【００２２】
上記実施の形態では、受信モード切替キー２を一定時間内で連続して２回押した場合にのみ、受信モードを切り替えるようにしているので、送信モードを切り替えたい場合に、受信モードを誤って切り替えてしまうといったことが発生しにくくなる。
【００２３】
【発明の効果】
この発明によれば、送信モード切替キーと受信モード切替キーとが近接して配置されている場合に、送信モードを切り替えたい場合に、受信モードを誤って切り替えてしまうといったことが起こりにくくなる。
【図面の簡単な説明】
【図１】ファクシミリ装置の操作部に設けられた液晶表示器に表示されたファクスの基本画面の一例を示す模式図である。
【図２】受信モード切替処理手順を示すフローチャートである。
【符号の説明】
１  送信モード切替キー
２  受信モード切替キー
【図１】
2004153633.tif 000003
【図２】
2004153633.tif 000004